(57)【特許請求の範囲】
【請求項１】
複数の画素が二次元的に配置されたセンサにより画像を得る撮影部を制御する制御装置であって、
前記撮影部及び外部の画像記憶装置と通信する無線通信手段と、
前記撮影部から前記無線通信手段により受信される画像に基づく画像を記憶する記憶手段と、
外部の装置からの情報受信により、検査状態の情報を含む検査情報を取得する検査情報入力手段と、
被検体に対して少なくとも１つの撮影を含む検査を開始するためになされる、前記検査情報入力手段で取得された前記検査状態の情報の変更に応じて、前記画像記憶装置に対する前記記憶手段に記憶された画像の送信を制限する制御手段と、
を有することを特徴とする制御装置。
【請求項２】
前記検査情報は、被検体の情報と撮影プロトコルＩＤと前記検査状態の情報とを含み、
前記被検体の情報は、被検体ＩＤと被検体氏名の少なくとも一方を含み、
前記撮影プロトコルは、撮影に関する処理条件をまとめた情報であり、
前記撮影プロトコルＩＤは、当該撮影プロトコルの識別情報であり、
前記検査状態の情報は、前記検査の状態を管理する情報であり、
前記制御手段は、前記記憶手段に記憶される画像の前記無線通信手段による送信を行わないように制御し、
前記制御手段はさらに、前記制御装置に有線通信ケーブルが接続されている場合には、前記無線通信手段により画像を受信する期間であっても前記有線通信ケーブルを介して前前記記憶手段に記憶される画像を送信させることを特徴とする請求項１に記載の制御装置。
【請求項３】
前記制御手段は、前記撮影部から前記無線通信手段により画像を受信する期間は、前記画像記憶装置に対する前記記憶手段に記憶される画像の送信を制限し、かつ、前記無線通信手段による、外部の装置からの撮影オーダの受信または外部の装置への実施情報の送信の少なくともいずれかは行うことを特徴とする請求項１乃至２のいずれか１項に記載の制御装置。
【請求項４】
前記制御手段は、前記期間が開始されると判定された際に、前記無線通信手段により前記記憶手段に記憶される画像の送信中であった場合には、前記画像の送信を中断させることを特徴とする請求項２又は３に記載の制御装置。
【請求項５】
前記画像の送信が中断されることに応じて前記撮影部からの画像の受信を開始させることを特徴とする請求項４に記載の制御装置。
【請求項６】
前記制御手段は、撮影に用いる撮影条件が選択されることに応じて前記画像記憶装置に対する前記記憶手段に記憶される画像の送信を制限することを特徴とする請求項１乃至５のいずれか１項に記載の制御装置。
【請求項７】
前記制御手段は、撮影に用いる撮影条件の選択状態が解除されることに応じて前記画像記憶装置に対する前記記憶手段に記憶される画像の送信の制限を解除することを特徴とする請求項６に記載の制御装置。
【請求項８】
前記制御手段は、前記撮影部で得られる複数の画像が前記記憶手段に記憶されている場合に、前記複数の画像のそれぞれに第二の識別情報が関連付けられているか否かに基づいて前記複数の画像を送信する順序を制御することを特徴とする請求項１乃至７のいずれか１項に記載の制御装置。
【請求項９】
前記制御手段は、前記画像記憶装置に対する前記記憶手段に記憶される画像を送信する期間は、前記撮影部から前記無線通信手段からの画像の受信を制限することを特徴とする請求項１乃至８のいずれか１項に記載の制御装置。
【請求項１０】
前記被検体に対して少なくとも１つの撮影を含む検査を開始する第一の操作入力に応じて当該被検体についての撮影を実行するための撮影画面を表示部に表示させる表示制御手段をさらに有し、
前記検査状態は、当該検査が未検査であるか、開始済みであるか、終了済みであるかを管理する項目であり、
前記検査状態の情報の変更は、前記第一の操作入力に応じてなされ、
前記検査は、前記検査状態の情報を未検査から開始済みに変更することに応じて開始されることを特徴とする請求項１乃至９のいずれか１項に記載の制御装置。
【請求項１１】
前記表示制御手段は、前記検査を終了する第二の操作入力を受け付けるアイコンを含む撮影画面を表示部に表示させ、
前記制御手段は、前記第二の操作入力に応じて前記画像記憶装置に対する前記記憶手段に記憶される画像の送信の制限を解除することを特徴とする請求項１０に記載の制御装置。
【請求項１２】
前記無線通信手段は、単一の無線通信モジュールを有し、当該単一の無線通信モジュールで前記撮影部及び前記画像記憶装置と通信することを特徴とする請求項１乃至１１のいずれか１項に記載の制御装置。
【請求項１３】
前記無線通信手段は、子機として前記画像記憶装置と通信し、子機として動作する撮影部と親機として通信することを特徴とする請求項１乃至１２のいずれか１項に記載の制御装置。
【請求項１４】
複数の画素が二次元的に配置されたセンサにより画像を得る撮影部を制御する制御装置であって、
前記撮影部及び外部の画像記憶装置と通信する無線通信手段と、
前記撮影部から前記無線通信手段により受信される画像に基づく画像を記憶する記憶手段と、
前記画像記憶装置に対する前記記憶手段に記憶された画像の送信を制限する制御手段と、
を有し、
前記制御手段は、撮影に用いる撮影条件が選択されることに応じて前記画像記憶装置に対する前記記憶手段に記憶された画像の送信の制限を開始し、前記撮影条件の選択状態が解除されることに応じて前記画像記憶装置に対する前記記憶手段に記憶された画像の送信の制限を解除することを特徴とする制御装置。
【請求項１５】
複数の画素が二次元的に配置されたセンサにより画像を得る撮影部と、
請求項１乃至１４のいずれか１項に記載の制御装置と、
を有することを特徴とするＸ線撮影システム。
【請求項１６】
複数の画素が二次元的に配置されたセンサにより画像を得る撮影部を制御する制御方法であって、
前記撮影部からの画像を無線で受信するステップと、
前記受信された画像に基づく画像を記憶手段に記憶させるステップと、
外部の装置からの情報受信により取得された検査情報に含まれる検査状態の情報が変更されることに応じて被検体に対して少なくとも１つの撮影を含む検査を開始するステップと、
前記検査状態の情報の変更に応じて、外部の画像記憶装置に対する前記記憶された画像の送信を制限するステップと、
を有することを特徴とする制御方法。
【請求項１７】
複数の画素が二次元的に配置されたセンサにより画像を得る撮影部を制御する制御方法であって、
前記撮影部からの画像を無線で受信するステップと、
前記受信された画像に基づく画像を記憶手段に記憶させるステップと、
外部の画像記憶装置に対する前記記憶された画像の送信を制限するステップと、
を有し、
前記制限するステップは、撮影に用いる撮影条件が選択されることに応じて前記画像記憶装置に対する前記記憶された画像の送信の制限を開始し、前記撮影条件の選択状態が解除されることに応じて前記画像記憶装置に対する前記記憶された画像の送信の制限を解除することを特徴とする制御方法。
【請求項１８】
請求項１６または１７に記載の制御方法をコンピュータに実行させるためのプログラム。
【発明の詳細な説明】
【技術分野】
【０００１】
本明細書の開示は、医用撮影を制御する制御装置、制御システム、Ｘ線撮影システム、制御システム、制御方法、及びプログラムに関する。
【背景技術】
【０００２】
デジタルＸ線センサ等の撮影部によりＸ線画像を撮影し、撮影されたＸ線画像を画像処理するＸ線撮影システムが提案され、利用されている（特許文献１）。かかるシステムにおいては、画像処理したＸ線画像がディスプレイに表示され、技師による画像の確認に供される。あるいは撮影装置からＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）やネットワークプリンタへ転送され、医師による診断に供される。
【先行技術文献】
【特許文献】
【０００３】
【特許文献１】特開２００２−２０００６２号公報
【発明の概要】
【発明が解決しようとする課題】
【０００４】
Ｘ線撮影を制御する制御装置において、撮影部からの画像受信とＰＡＣＳへの画像転送が重なると通信バスの逼迫やネットワークアダプターの処理が追い付かない等の原因により通信が遅延する恐れがある。例えば撮影部で撮影された画像の送信の遅延は、撮影の効率を妨げてしまう。なお、通信が不安定な無線通信や性能の悪い通信モジュールを使用する場合にはより遅延が大きくなることが想定される。
【課題を解決するための手段】
【０００５】
そこで本発明の実施形態にかかる制御装置は、複数の画素が二次元的に配置されたセンサにより画像を得る撮影部を制御する制御装置であって、前記撮影部及び外部の画像記憶装置と通信する無線通信手段と、前記撮影部から前記無線通信手段により受信される画像に基づく画像を記憶する記憶手段と、外部の装置からの情報受信により、検査状態の情報を含む検査情報を取得する検査情報入力手段と、被検体に対して少なくとも１つの撮影を含む検査を開始するためになされる、前記検査情報入力手段で取得された前記検査状態の情報の変更に応じて、前記画像記憶装置に対する前記記憶手段に記憶された画像の送信を制限する制御手段と、を有することを特徴とする。また、本発明の実施形態に係る制御装置は、複数の画素が二次元的に配置されたセンサにより画像を得る撮影部を制御する制御装置であって、前記撮影部及び外部の画像記憶装置と通信する無線通信手段と、前記撮影部から前記無線通信手段により受信される画像に基づく画像を記憶する記憶手段と、前記画像記憶装置に対する前記記憶手段に記憶された画像の送信を制限する制御手段と、を有し、前記制御手段は、撮影に用いる撮影条件が選択されることに応じて前記画像記憶装置に対する前記記憶手段に記憶された画像の送信の制限を開始し、前記撮影条件の選択状態が解除されることに応じて前記画像記憶装置に対する前記記憶手段に記憶された画像の送信の制限を解除することを特徴とする。
【発明の効果】
【０００６】
これにより、通信が重複することに伴う通信遅延を減らし、撮影効率を向上させることができる。
【図面の簡単な説明】
【０００７】
【図１】実施形態に係るＸ線撮影システムの構成図である。
【図２】実施形態に係る撮影制御装置のハードウェア構成図である。
【図３】実施形態に係る撮影制御装置により実現される機能の関係を示す図である。
【図４】実施形態に係る検査情報に含まれる情報の項目と例を示す表である。
【図５】実施形態に係る撮影プロトコルに含まれる情報の項目と例を示す表である。
【図６】実施形態に係る制御の流れを示すフローチャートである。
【図７】その他の実施形態に係る制御の流れを示すフローチャートである。
【図８】その他の実施形態に係る制御の流れを示すフローチャートである。
【図９】その他の実施形態に係る制御の流れを示すフローチャートである。
【図１０】その他の実施形態に係る制御の流れを示すフローチャートである。
【図１１】実施形態に係る検査情報入力画面の例を示す図である。
【図１２】実施形態に係る撮影画面の例を示す図である。
【図１３】その他の実施形態に係るＸ線撮影システムの構成図である。
【発明を実施するための形態】
【０００８】
図１に実施形態に係るＸ線撮影システムの構成を示す。Ｘ線撮影システム１０１は、Ｘ線発生装置１０２、Ｘ線照射スイッチ１０３、Ｘ線制御部１０４、テーブル１０５、Ｘ線撮影部１０６、撮影制御装置１０７、操作部１０８、表示部１０９から構成される。なお、Ｘ線撮影システムは、Ｘ線発生装置１０２や撮影制御装置１０７等をユニットとみて、Ｘ線撮影装置と呼称することがある。
【０００９】
さらにＸ線撮影システム１０１は、撮影制御装置１０７からネットワーク１１３を介してＨＩＳ／ＲＩＳ１１４やＰＡＣＳ１１５、Ｖｉｅｗｅｒ１１６、プリンタ１１７と接続される。ＨＩＳ／ＲＩＳ１１４は、放射線科における患者情報や検査要求情報などの情報を管理する病院内／放射線科情報管理システムである。ＰＡＣＳ１１５は、画像保存を主目的とした画像記憶装置の例である。Ｖｉｅｗｅｒ１１６は、ＰＡＣＳ１１５と接続され、主に高精細モニタによってＸ線撮影システム１０１で撮影した画像の検像作業や詳細な後処理、診断作業が実施される。プリンタ１１７は、Ｘ線画像データをプリント出力する装置であり、画像を受信し一時的にでも記憶する点で、実施形態に係る画像記憶装置の例である。
【００１０】
Ｘ線発生装置１０２は、Ｘ線の照射開始・照射停止を行う。また、Ｘ線発生装置１０２は、Ｘ線の照射に伴い管電圧、管電流などの撮影実施条件をＸ線制御部１０４へ送信する。また、Ｘ線発生装置１０２はＸ線制御部１０４からデフォルト撮影条件を受信し、撮影準備処理を行う。Ｘ線照射スイッチ１０３は、照射開始通知、照射終了通知をＸ線制御部１０４へ送信する。操作者がスイッチ押下すると、Ｘ線照射スイッチ１０３は照射開始通知を送信する。また、操作者がスイッチを放すとＸ線照射スイッチ１０３は照射終了通知を送信する。Ｘ線制御部１０４は、Ｘ線発生装置１０２、Ｘ線照射スイッチ１０３、撮影制御装置１０７と接続され、Ｘ線の照射開始と照射終了の制御及び撮影実施条件の送信を行う。また、Ｘ線制御部１０４は撮影制御装置１０７よりデフォルト撮影条件を受信し、Ｘ線発生装置１０２へ通知する。テーブル１０５は、被検体を載せるための架台である。
【００１１】
Ｘ線撮影部１０６は前記医用画像を撮影するためのセンサユニットの一例である。Ｘ線撮影部１０６は複数の画素が二次元的に配置されたセンサアレイと、当該センサアレイにより得られる画像を撮影制御装置１０７に対して出力する通信回路と、当該センサアレイによる動作を統合的に制御する演算処理回路と、を有する。１つの実施形態では当該センサアレイに含まれる画素はＸ線を電気信号に変換するａ−Ｓｅと電極により形成される。１つの実施形態ではａ−Ｓｅと上部電極は複数の画素で共通に配置され、電荷を収集する下部電極が行列方向に離間して複数配置されており、当該下部電極により１画素が画される。別の実施形態では、Ｘ線を可視光に変換するＣｓＩ：ＴＩ等のシンチレータを有しており、シンチレータにより可視光に変換されたＸ線を可視光に感度を有する光電変換素子により電気信号に変換する。この場合、光電変換素子の１つ１つにより１画素が画される。画素には、光電変換素子と当該光電変換素子の電気信号を出力するためのスイッチング素子とを有しており、当該スイッチング素子のベースには行方向で共通の行選択線が接続され、コレクタ及びエミッタの一方には光電変換素子が、他方には列方向で共通の列信号線が接続される。行選択線はシフトレジスタを含む駆動回路に接続され、スイッチング素子をオン状態及びオフ状態に制御する電圧Ｖ１、Ｖ２（＞Ｖ１）が印加される。スイッチング素子をオフ状態とすることにより画素を電気信号が蓄積する蓄積状態とし、オン状態とすることにより電気信号を出力する出力状態とすることができる。光電変換素子の一端はスイッチング素子に、他端はバイアス電源に接続される。列信号線は増幅器及びＡ／Ｄ変換器を含む読出回路に接続される。駆動回路により画素の電気信号を順次出力し、読出回路により当該出力された電気信号をデジタル信号とすることにより、デジタルＸ線画像データが得られる。駆動回路、読出回路、バイアス電源はＸ線撮影部１０６内の演算処理回路に接続され、当該演算処理回路によりセンサの蓄積状態及び出力状態の制御、センサアレイより出力される電気信号の読出処理の制御、センサアレイに対するバイアス電圧の印加状態の制御が行われる。
【００１２】
かかるＸ線撮影部１０６が、被検体を透過したＸ線を検出しＸ線画像データへ変換することにより、２次元のＸ線画像が得られる。Ｘ線撮影部１０６は、撮影制御装置１０７と接続され、変換したＸ線画像データを読み取りエリアやビニングサイズなどの撮影実施情報と共に撮影制御装置１０７へ送信する。Ｘ線画像データ、撮影実施の送信は、撮影制御装置１０７と接続されたケーブルによる有線通信、あるいは無線通信を用いて行われる。
【００１３】
撮影制御装置１０７はＸ線撮影部１０６による撮影を制御する制御装置である。Ｘ線制御部１０４、Ｘ線撮影部１０６と連携したＸ線撮影、Ｘ線画像データへの階調処理などの画像処理、Ｘ線撮影を含む検査の実施、操作部１０８、表示部１０９への入出力、ネットワーク１１３を介した外部装置との送受信を制御する。撮影制御装置１０７は、記憶部１１０、制御部１１１、無線通信回路１１２から構成される。
【００１４】
無線通信回路１１２は、通信Ｉ／Ｆを介して、Ｘ線制御部１０４とＸ線撮影部１０６へＸ線照射準備要求、Ｘ線照射準備キャンセル要求の送信を行う。また、無線通信回路１１２はＸ線制御部１０４とＸ線撮影部１０６からＸ線画像データ、撮影情報の受信を行う。また、無線通信回路１１２はネットワーク１１３を介して、検査要求情報の受信、検査実施情報の送信、Ｘ線画像データ出力を行う。
【００１５】
撮影制御装置１０７の無線通信回路１１２は、無線でＸ線撮影部１０６と通信する。なお、Ｘ線制御部１０４とも無線で通信することとしてもよい。なおＸ線撮影部１０６は無線通信モジュールで通信せず、Ｘ線撮影部１０６に有線接続された外部無線通信モジュールが撮影制御装置１０７の無線通信回路１１２と通信することとしてもよい。
【００１６】
また、無線通信回路１１２は、院内ＡＰ（Ａｃｃｅｓｓ  Ｐｏｉｎｔ；アクセスポイント或いは通信基地局）１１８と無線で通信することにより、院内ネットワーク１１３に接続する装置、例えばＰＡＣＳ１１５と通信することができる。
【００１７】
記憶部１１０は、Ｘ線撮影部１０６から無線通信回路１１８により受信される画像に基づく画像を記憶する。受信される画像自体を記憶してもよいし、受信される画像にノイズ低減処理等の高画質化処理を施した画像を記憶させてもよい。
【００１８】
制御部１１１は、検査実施及び撮影実施に関わる制御、検査の実施情報やＸ線画像データの保存・読み出し、画像出力の制御を行う。ここで制御部１１１は、無線通信回路１１２による、Ｘ線撮影部１０６からの画像の受信と、ＰＡＣＳ１１５への画像の送信とを排他的に行う。例えば、撮影の優先度をＰＡＣＳ１１５への画像転送の優先度よりも高くするという観点から、制御部１１１は、Ｘ線撮影部１０６から無線通信回路１１２により画像を受信する期間は、ＰＡＣＳ１１５に対する記憶部１１０に記憶される画像の送信を制限する。例えば制御部１１２は、記憶部１１０に記憶される画像の無線通信回路１１２による送信を行わないように制御する。これにより、無線通信回路１１２により利用される通信帯域の圧迫に起因する通信遅延が生じる可能性を減らすことができる。
【００１９】
一方で制御部１１１は、撮影制御装置１０７に有線通信ケーブルが接続されている場合には、無線通信回路１１２により画像を受信する期間であっても有線通信ケーブルを介して記憶部１１０に記憶される画像を送信させる。この場合には、Ｘ線撮影部１０６に有線ケーブルを接続するコネクタを有しており、有線ケーブル及び無線のどちらであっても演算処理回路により統合的に制御される。
【００２０】
このようにすることで、通信遅延を減らし、Ｘ線撮影を効率的に行わせることができる。
【００２１】
一方で、データ量が小さく、通信負荷に対する影響が小さい通信に関しては制限を設け無いようにすることができる。実施形態の１つでは、制御部１１１は、Ｘ線撮影部１０６から無線通信回路１１２により画像を受信する期間は、ＰＡＣＳ１１５に対する、記憶部１１０に記憶される画像の送信を制限しつつ、かつ、無線通信回路１１２による、ＨＩＳ／ＲＩＳ１１４からの撮影オーダの受信やＨＩＳ／ＲＩＳ１１４への実施情報の送信等は行う。ここで撮影オーダとは、撮影部位、撮影方向等の撮影条件を含む撮影依頼情報であり、実施情報とは、実行された撮影の線量や照射条件等を含む情報である。このようにすることで、通信の制限を通信に悪影響が及ぶ最低限の範囲とすることができる。
【００２２】
操作部１０８は、操作者による操作を受け付ける入力インターフェースである。操作部１０８は入力インターフェースであり、キーボードやマウス、あるいはマルチタッチモニタなど入力可能なインターフェースであればいずれでも構わない。操作部１０８は操作に応じて、撮影制御装置１０７へ入力情報を送信する。また、操作部１０８は撮影制御装置１０７からの要求を受信して入力インターフェースの表示切り替えを行う。表示部１０９は、Ｘ線撮影のコントロールソフトウェアのユーザインターフェースを表示する出力用インターフェースである。表示部１０９は単独のモニタやＸ線撮影装置に組み込まれたモニタなど表示可能なインターフェースであればいずれでも構わない。撮影画像を表示するモニタは１つの撮影制御装置１０７に対して複数接続される場合もあり、撮影画像と過去画像がそれぞれ違うモニタにプレビュー表示される場合もある。その際は、表示部１０９は撮影制御装置１０７からの通知によってどの画像をどのモニタに表示するか判断し、表示を行う。ここで操作部１０８としてのタッチパネルが組み込まれた表示部１０９である、タッチパネルモニタを用いることとしてもよい。
【００２３】
次に、図２に本発明の実施形態に係る撮影制御装置１０７のハードウェア構成について示す。制御部１１１は、ＣＰＵ２５１、ＲＯＭ２５２、ＲＡＭ２５３、ＨＤＤ２５４、入力検出部２５５、有線通信Ｉ／Ｆ２５６ａ、無線通信Ｉ／Ｆ２５６ｂ、グラフィックボード２５７、ディスプレイドライバ２５８より構成される。これらは、データバス等のバスを介して互いに接続されている。ＣＰＵ２５１は、制御部１１１全体の制御を行う演算処理回路であり、ＲＡＭ２５３に展開されるプログラムであって、後述する図６、図７、図８、図９及び図１０のフローチャートに示す処理を実行するためのプログラムに含まれる命令を実行することで実施形態に係る制御を実現している。また、ＣＰＵ２５１は、ディスプレイドライバ２５８を介した表示部１０９へ出力制御、及び入力検出部２５５を介した操作部１０８からの入力制御を行う。ＲＡＭ２５３は、ＣＰＵが命令プログラムによる制御を行う際に作業用の記憶領域を確保するものである。ＨＤＤ２５４は、Ｘ線画像データなど各種データを保存するメモリである。有線通信Ｉ／Ｆ２５６ａは、有線通信ケーブルを接続するためのコネクタを含む通信モジュールであり、無線通信Ｉ／Ｆ２５６ｂは、無線通信を行う通信モジュールであり、制御部１１１とＸ線撮影部１０６、院内ＡＰ１１８、或いはＸ線制御部１０４との間でデータの送受信を行う。グラフィックボード２５７は、ＧＰＵによる画像処理を行い処理により得られる画像データを表示部１０９に対して出力する。
【００２４】
無線通信モジュール２５６ｂは通信回路１１２に対応し、ＨＤＤ２５４は記憶部１１０に対応し、ＣＰＵ２５１は制御部１１１に対応する。
【００２５】
実施形態の１つでは、上述のソフトウェアプログラムにより実現される機能をＦＰＧＡ等のハードウェアで実現することとしてもよい。これは、例えば上述のソフトウェアプログラムをＦＰＧＡのコンフィギュレーション情報に変換し、ＦＰＧＡにより上述の機能を実現することとすればよい。この場合、上述の図４に示される機能ブロックに対応するハードウェアブロックが実装されるようにＦＰＧＡを構成してもよい。
【００２６】
図４を参照しながら、撮影制御装置１０７で実現される機能間の関係を説明する。下記の機能は例えば、図１、図３に示すハードウェアと、上述のソフトウェアプログラムにより実現される。
【００２７】
撮影制御装置１０７は、記憶部１１０と、画像受信部３０１と、医用情報通信部３０２と、検査情報入力部３０３と、プロトコル選択部３０４と、撮像装置情報通信部３０５と、表示制御部３０６と、画像処理部３０７とを有する。画像受信部３０１、医用情報通信部３０２、撮像装置情報通信部３０５は通信回路１１２に、検査情報入力部３０３、プロトコル選択部３０５、表示制御部３０６は制御部１１１に、夫々対応する。
【００２８】
画像受信部３０１はＸ線撮影部１０６からＸ線画像を受信する。医用情報通信部３０２はＰＡＣＳ１１５やＨＩＳ／ＲＩＳ１１４などの医用情報を管理するサーバーと通信する。
【００２９】
撮像装置情報通信部３０５は、検査情報に含まれるＸ線撮影部１０６の温度情報やバッテリー情報等を含む情報取得や、Ｘ線撮影部１０６の駆動モード等を含む撮像条件の設定や、Ｘ線撮影部１０６を撮影可能な状態に遷移させる等の状態制御を行う。
【００３０】
画像受信部３０１とＸ線撮影部１０６の通信は有線でもよいし、無線でもよい。また、無線である場合に、画像受信部３０１とＸ線撮影部１０６のどちらがアクセスポイントの機能を担ってもよい。また、同様に医用情報通信部３０２とＰＡＣＳ１１５やＨＩＳ／ＲＩＳ１１４との通信は有線でもよいし、無線でもよい。また、無線である場合に、医用情報通信部３０２とＰＡＣＳ１１５、ＨＩＳ／ＲＩＳ１１４のどちらかがアクセスポイントの機能を担うこととしてもよい。
【００３１】
検査情報入力部３０３は、操作者による手入力あるいはＨＩＳ／ＲＩＳ１１４からの情報受信により検査情報を取得する。検査情報には、少なくとも１のＸ線撮影に対応する、被検者の情報や撮影部位等の撮影情報が含まれる。プロトコル選択部３０４は、Ｘ線撮影で使用する撮影部位や撮影部位に対する放射線の照射方向などの撮影プロトコルを選択する。ここで撮影プロトコルは、検査情報に含まれる１の撮影情報に対応する情報であって、撮影部位、撮影方向、撮影方法、照射条件、Ｘ線撮影部１０６の駆動モード等の撮像条件、画像処理条件、画像の出力条件など、１の撮影に関する処理条件をまとめた情報である。検査情報や撮影プロトコルの詳細は図４及び図５を用いて後述する。
【００３２】
表示制御部３０６は、画像受信部３０１が受信したＸ線画像に基づく画像や操作者が入力するためのＧＵＩ（グラフィカルユーザーインターフェース）を表示部１０９に表示させる。ＧＵＩの例は図１１及び図１２を用いて後述する。
【００３３】
画像処理部３０７はＸ線撮影部１０６より得られるＸ線画像を画像処理する。画像処理部３０７では、センサの特性に起因するダーク補正、ゲイン補正、欠陥画素補正等の特性補正処理、ラインノイズ補正処理、散乱線補正処理等のノイズ低減処理、階調変換処理、鮮鋭化処理等の高画質化処理等を実行する。記憶部１１０には、少なくとも一部、例えば特性補正処理を適用した画像を記憶させ、ノイズ低減処理や高画質化処理についてはその画像処理パラメータを当該画像の付帯情報として当該画像と関連付けて記憶部１１０に記憶させることとしてもよい。
【００３４】
その他、制御部１１１が撮影制御装置１０７の動作を統合的に制御する。
【００３５】
図４に示す表を参照しながら、検査情報に含まれる項目と値の例を説明する。検査状態はその検査が未検査であるか、開始済み（実行中）であるか、終了済みであるかを管理する項目であり、検査開始前は「未検査」、検査開始に応じて「開始済み」、検査終了に応じて「終了済み」となる。受付Ｎｏは検査のＩＤ情報である。被検者ＩＤは検査情報のＩＤを示す。被検者ＩＤ、被検者氏名、被検者生年月日、被検者性別、被検者身長、被検者体重、妊娠の有無、感染症の有無は、それぞれ被検者の情報を示す。特に被検者ＩＤは、被検者間でユニークな値を取る。
【００３６】
画像転送先は、検査（Ｘ線撮影）により得られるＸ線画像の転送先を示す情報で、図４の例ではＰＡＣＳ１、ＰＲＩＮＴＥＲ２など、画像記憶装置の識別名となっている。当該識別名のそれぞれには、データの宛先を定めるプライベートＩＰアドレス等が関連付けられており、実際には当該宛先にＸ線画像が転送される。実施情報転送先は、実施情報の送信先を示す情報である。ここで実施情報とは、上述の検査状態や、Ｘ線撮影に実際に用いられた照射条件やＸ線撮影での被検者への照射線量を示す情報の送信先を示す情報である。図４の例ではＲＩＳ１と転送先の識別名がとなっている。この識別名についても、データの宛先を定めるプライベートＩＰアドレスが関連付けられており、当該宛先に実施情報が送信されることとなる。
【００３７】
撮影プロトコルＩＤは、Ｘ線撮影に係る一連の処理条件である撮影プロトコルの識別情報である。検査情報に含まれる撮影プロトコルＩＤは、撮影オーダの情報であり、当該プロトコルＩＤに対応する撮影が実行されることとなる。図４の例では１の検査で００１２と００１３という２単位の撮影がオーダされていることとなる。
【００３８】
図５に示す表を参照しながら、撮影プロトコルに含まれる項目と値の例を説明する。撮影プロトコルＩＤは上述の通り、処理条件である撮影プロトコルを識別するＩＤ情報である。撮影プロトコル名称は、例えば後述する撮影画面（図１２）等に撮影プロトコルに対応する情報が表示される際に、表示対象となる情報である。撮影部位は撮影対象の部位（ｂｏｄｙ  ｐａｒｔ）を、撮影方向は被検者に対するＸ線の照射方向を、撮影方法は、静止画、透視、ＤＳＡ、断層撮影といった撮影の方法を示す情報である。管電流、管電圧、照射時間は、Ｘ線発生装置に対して設定するＸ線の照射条件を示す情報である。グリッドＩＤは、グリッドの種類を特定する情報であり、グリッド比、グリッド密度、平行グリッド・集束グリッド・クロスグリッド等のグリッドの形態情報、移動グリッド・静止グリッド等のグリッドの動作方式などの情報を含む。グリッドを利用しない場合には、例えば「００００」などの情報が付される。
【００３９】
出力サイズは、撮影により得られるＸ線画像の出力サイズを規定する情報であり、図５の例ではプロトコル１、２とも半切サイズとなっている。
【００４０】
図６のフローチャートに従い、実施形態の１つに係る制御の流れを説明する。
【００４１】
ステップＳ１０１で検査情報入力部３０３は入力された検査情報を取得する。検査情報の入力は、例えば表示制御部３０６により表示部１０９に表示されたＧＵＩを利用した操作入力によってもよいし（図１１）、医用情報通信部３０２によるＨＩＳ／ＲＩＳ１１４からの検査情報の受信によってもよい。
【００４２】
ステップＳ１０２で制御部１１１は、ステップＳ１０１で入力された検査情報に基づく検査を開始する。検査の開始は検査情報に含まれる検査状態の情報を「未検査」から「開始済み」に変更することにより対応する。検査は表示制御部３０６に表示されたＧＵＩにより操作者が入力に応じて開始されてもよいし、検査情報の入力に応じて自動的に開始されてもよい。また例えば、検査の開始に応じて、表示制御部３０６が表示部１０９に撮影画面（図１２）を表示させてもよい。
【００４３】
ステップＳ１０３で制御部１１１は、検査終了が指示されたか否かを判定する。検査の終了の指示は、例えば表示制御部３０６に表示されたＧＵＩによる操作入力や（図１２）、検査する撮影プロトコルの撮影がすべて終了することに応じて行われる。検査を終了する指示があった場合にはステップＳ１０１へ、無い場合にはステップＳ１０４に処理を進める。
【００４４】
ステップＳ１０４でプロトコル選択部３０４は、ステップＳ１０１で入力された検査情報に関連付けられた撮影プロトコルのうち、Ｘ線撮影に使用する撮影プロトコルを選択する。撮影プロトコルの選択は、表示制御部３０６に表示されたＧＵＩにより操作者が入力（図１２）してもよいし、あるいは検査開始に応じて自動的に選択されてもよい。例えば開始された検査に係る検査情報に２つの撮影プロトコルが関連付けられている場合に、プロトコル選択部３０４は操作入力や所定の規則に応じて１の撮影プロトコルを選択する。
【００４５】
ステップＳ１０５で制御部１１１は、選択された撮影プロトコルに基づいて、撮像情報通信部３０５に対しＸ線撮影部１０６へ該Ｘ線撮影部１０６を撮影可能状態へと遷移させるための信号を出力させる。
【００４６】
なおここで撮影制御装置１０７に複数のＸ線撮影部が通信接続されている場合に制御部１１１は撮影プロトコルの情報に基づいて定められる１のＸ線撮影部１０６に対して、撮影可能状態へと遷移させるための信号を出力する。例えば第一のＸ線撮影部がテーブル１０５に付属する保持部に保持されており、第二のＸ線撮影部が立位の撮影台に挿入されている状況において、臥位で撮影する腹部正面の撮影プロトコルが選択された場合には、当該撮影プロトコルに対応する第一のＸ線撮影部に対して撮影可能状態へと遷移させる信号を出力する。ここで撮影可能状態とは、Ｘ線撮影部のセンサアレイの特性が安定した状態を指しており、撮影可能状態とするために、Ｘ線撮影部は、センサアレイに対しバイアス電圧が印加されていない場合には印加し、全画素を出力状態、蓄積状態とする制御を数回繰り返させて各画素の出力を安定させる初期化を実行させる。撮影可能状態では、Ｘ線撮影部のセンサアレイは全画素を出力状態、蓄積状態とする空読み動作を繰り返す。
【００４７】
なおここで、撮影部位が腹部の場合には、撮影部位が胸部等の場合に比べてＸ線の照射時間が長くなるため、Ｘ線撮影部における蓄積時間を、既定の１秒から３秒に再設定するための信号を合わせて出力する。
【００４８】
ここで撮影制御装置１０７とＸ線制御部１０４が有線または無線で通信接続されている場合には、プロトコル選択部３０４による選択に応じて、撮像情報通信部３０５が当該撮影プロトコルに含まれるＸ線照射条件の情報をＸ線制御部１０４に対して送信する。
【００４９】
ステップＳ１０６で制御部１１１は、撮影に使用する撮影プロトコルを変更する、あるいは一時的に撮影を中止する等、撮影プロトコルの選択を解除する指示があったか否かを判定している。撮影プロトコルの選択解除は、表示制御部３０６に表示されたＧＵＩにより操作者が入力（図１２）してもよいし、あるいは撮影制御装置１０７内部でエラー等のイベントを検知したことに基づいて行われてもよいし、あるいはＸ線撮影部１０６からの通知に基づいて行われてもよい。撮影プロトコルの選択を解除する場合はステップＳ１１４へ遷移し、解除しない場合はステップＳ１０７へと遷移する。
【００５０】
ステップＳ１１４で制御部１１１はＸ線撮影部１０６を撮影不可状態へと遷移させるための信号を撮像装置通信部１０５に送信させる。ここで撮影不可状態とは、仮にＸ線撮影部１０６がＸ線照射の許可を要求する信号を受信しても、許可を返信しない状態を指し、例えばセンサアレイにバイアス電圧が印加されていない状態や、初期化処理中の状態を指す。なお、センサアレイ自体は撮影が可能な状態であったとしても、Ｘ線撮影部１０６のメモリの状態フラグのみ「撮影不可状態」となっている状態も撮影不可状態に含む。これにより、撮影プロトコルが選択されていない状態での撮影と、それによる、Ｘ線画像と撮影情報との対応付けが不明となってしまうことを防ぐことができる。
【００５１】
ステップＳ１１５でプロトコル選択部３０４は撮影プロトコルの選択状態を解除する。撮影プロトコルの選択、非選択等の状態等を管理するため、実施形態の１つでは非選択、選択、撮影済み、画像処理済み、出力済みのいずれかの状態を示す状態情報を当該撮影プロトコルに含め、プロトコル選択部３０４による選択、選択の解除、画像受信部３０１からの画像受信が完了したことを示す通知、画像処理部３０７からの画像処理が完了したことを示す通知、医用情報通信部３０２によるＸ線画像の出力が完了したことを示す通知のそれぞれに応じて、制御部１１１が当該撮影プロトコルの状態情報を更新する。
【００５２】
ステップＳ１０７１では、制御部１１１或いはＸ線撮影部１０６はＸ線発生装置１０２の照射スイッチが押下されたか否かを判定する。スイッチが押下されていない場合にはＳ１０６及びＳ１０７の判定処理を繰り返す。スイッチが押下された場合にはステップＳ１０７２に進み、Ｘ線撮影部１０６が撮影中状態へ遷移する。或いは制御部１１１がＸ線撮影部１０６を撮影中状態へと遷移させる信号と、Ｘ線制御部１０４にＸ線を発生させるための信号とを撮像情報通信部３０５に出力させる。ここで、撮影中状態とは、Ｘ線撮影部１０６のセンサアレイに含まれる各画素が蓄積状態となっている状態を指す。撮影中状態への遷移は、上述の通りＸ線発生装置１０２の照射スイッチが押下されることに応じて生成されるＸ線照射許可の要求信号を受信することに応じて行ってもよいし、或いはＸ線発生装置１０２によるＸ線の照射が開始されたことをＸ線撮影部１０６で検知することに応じて遷移してもよい。Ｘ線撮影部１０６が撮影中状態となることに応じて撮像情報通信部１０５は「撮影中状態」となったことを示す情報をＸ線撮影部１０６から受信する。これと並行してＸ線撮影部１０６はＸ線の検出とこれに応じて得られる電荷の蓄積を行う。Ｘ線撮影部１０９は、Ｘ線の照射が終了した後に撮影中状態すなわち蓄積状態を終了させ、駆動回路及び読出回路によるデジタルＸ線画像の生成が行われる。
【００５３】
続くステップＳ１０８で、Ｘ線撮影部１０６が「撮影中状態」となったことを示す情報を受信することに応じて、Ｘ線撮影部１０６からの画像の受信が行われると判定し、制御部１１１は医用情報通信部３０２によるＰＡＣＳ１１５との通信を制限する。
【００５４】
通信制限を開始するタイミングは、Ｘ線撮影部１０６が蓄積状態へと遷移するタイミング（Ｓ１０５）に限らず、Ｘ線の照射が開始されるタイミングや、センサによるＸ線検出が終了するかタイミングであってもよく、Ｘ線撮影部１０６によるＸ線画像の送信が開始される前のタイミングであればよい。通信の制限を開始するタイミング及び制限を解除するタイミングは種々の実施形態があり、これについては図７乃至１０を用いて後述する。
【００５５】
医用情報通信部３０２とＰＡＣＳ１１５との通信制限とは、全ての医用情報の送受信を停止してもよい。この場合には、例えば医用情報通信部３０２とＰＡＣＳ１１５との間の通信を切断する。切断とは、ＴＣＰ／ＩＰやＵＤＰなどの通信プロトコルにおいて、パケット通信出来ない状態を指し、無線アンテナの機能を停止するなどの方法がある。また別の実施形態では、Ｘ線画像の転送のみ停止するなど一部の医用情報のみ停止する。これにより、通信負荷に影響が与える通信のみを停止させることで、システムの使い勝手を維持することができる。また別の実施形態では、医用情報の送信のみ停止し、受信は許可してもよい。送信の停止は、制御部１１１による医用情報通信部３０２に対する送信指令を出力しないことにより実現される。このようにしても、受信されるデータは通常画像データのような大きなデータはなく通信負荷への影響が大きくないため停止する必要性が小さい。またこのようにすることで、緊急撮影を含む撮影オーダの受信を妨げないようにすることができる。
【００５６】
ここで制御部１１１は、ステップＳ１０７で画像の受信が開始されると判定された際に、医用情報通信部３０２により記憶部１１０に記憶されるＸ線画像の送信中であった場合には、当該Ｘ線画像の送信を中断させる。Ｎ枚のＸ線画像の転送中である場合でｎ枚目のＸ線画像の転送中でステップＳ１０７の判定がされた場合には、ｎ枚目の画像の転送を中断し、通信制限の解除後に改めてｎ枚目の画像を送信する。別の実施形態では、所定の単位で画像データの受信とＡＣＫの返送とを繰り返す画像転送が行われている場合、ｎ枚目の画像のうちＡＣＫの返送が済んでいるデータの次のデータから、通信制限の解除後に送信を開始することとする。これらの場合制御部１１１は、当該Ｘ線画像の送信が中断されることに応じて、画像受信部３０１による画像の受信を開始させる。このようにすることで、画像受信部３０１による画像の受信と医用情報通信部３０２による画像の送信とが同時に行われないようにし、通信負荷を減らしている。
【００５７】
医用情報通信部３０２による通信が制限されている間に、ステップＳ１０９で画像受信部３０１はＸ線撮影部１０６からの画像の受信を開始する。開始時には、画像受信部３０１は画像のデータサイズを示す情報をＸ線撮影部１０６から受信する。この際に、受信対象の画像のチェックサムを受信してもよい。これらのデータの受信に対しＡＣＫを返送し、当該ＡＣＫがＸ線撮影部１０６で受信されることに応じて、Ｘ線撮影部１０６による画像データの送信と、画像受信部３０１による画像の受信が開始される。
【００５８】
なお、通信制限のタイミングは、画像受信部３０１によるデータサイズやチェックサムの受信、これに対するＡＣＫの返送のタイミングや、撮影中状態に係るＸ線撮影部１０６からの通知後所定の時間が経過した後のタイミングなどであってもよい。ここでいう所定のタイミングとは例えばＸ線撮影部１０６での蓄積時間が既知である場合には、通知から当該蓄積時間が経過するまではＸ線画像の受信が行われないとの観点から、当該蓄積時間の５０％〜１００％の時間を当該所定の時間としてもよい。
【００５９】
ステップＳ１１０で画像受信部３０１はＸ線撮影部１０６からのＸ線画像の受信を完了する。画像の受信の完了は、例えばＳ１０９で受信したデータサイズ分のデータが受信できたか否かで判定する。あるいはチェックサムを計算しこれが受信したチェックサムと一致するか否かを判定する。画像の受信が完了した場合には画像受信部３０１はＸ線撮影部１０６に対してＡＣＫを送信する。これにより画像の受信が完了する。
【００６０】
その後ステップＳ１１１で医用情報通信部３０２はＰＡＣＳ１１５との通信制限を解除する。
【００６１】
その後、画像処理部３０７による画像処理を経て、表示制御部３０６による画像処理後画像の表示が行われる。これにより、Ｓ１０４で選択された撮影プロトコルに対しての撮影が完了する。
【００６２】
ここでステップＳ６０１にて、ステップＳ１１０で受信したＸ線画像が、撮影直後であって検査の終了前にＰＡＣＳ１１５に転送すべき画像、いわゆる直後転送の対象であるか否かを判定する。直後転送の対象であるか否かは、例えば撮影プロトコル情報に直後転送の対象（１）か否（０）かを示すｂｏｏｌｅａｎ型の変数を取る情報を含め、当該情報を参照して直後転送の対象か否かを判定する。直後転送の対象であると判定された場合（Ｓ６０１でＹｅｓ）には、ステップＳ６０２で制御部１１１は、検査の終了前であっても医用情報通信部３０２に当該Ｘ線画像のＰＡＣＳ１１５への送信を開始させる。
【００６３】
ステップＳ１１２で制御部１１１は、Ｘ線画像の転送を終えたＸ線撮影部１０６を撮影不可状態へと遷移させるための信号を撮像情報通信部３０５に対して送信させる。
【００６４】
ステップＳ１１３ではプロトコル選択部３０４は撮影プロトコルの選択状態を解除する。以上の処理を行い、ステップＳ１０３へと戻る。
【００６５】
以上のようにして１検査に含まれる撮影を繰り返す。撮影で得られるＸ線画像は制御部１１１により記憶部１１０に記憶される。全ての撮影が終了した後に検査が終了する（Ｓ１０３でＹｅｓ）。
【００６６】
検査の終了後、ステップＳ６０３で制御部１１１は記憶部１１０に記憶されたＸ線画像のうち、未転送のＸ線画像があるか否かを判定する。この判定は、検査に含まれる撮影プロトコル情報の状態情報を参照して、出力済みとなっていない撮影プロトコルがあるか否かにより判定される。
【００６７】
未転送画像があると判定された場合、ステップＳ６０４で制御部１１１は医用情報通信部３０２に未転送のＸ線画像をＰＡＣＳ１１５に送信させる。Ｘ線画像の転送が完了することに応じて、制御部１１１は当該転送が完了したＸ線画像の撮影プロトコル情報の状態情報を「出力済み」に更新する。画像転送が完了した後は、撮影制御部１０７は次の検査情報の入力を待つこととなる。
【００６８】
以上のように、画像受信部３０１がＸ線撮影部１０６から放射線画像を受信している間は、医用情報通信部３０２とＰＡＣＳ１１５との通信を制限することで、Ｘ線撮影部１０６からの画像受信のスループットを低下させることなく放射線撮影を行うことが可能となる。また、撮像情報通信部３０５とＸ線撮影部１０６との間での放射線画像以外の通信が行われる場合には、医用情報通信部３０２による通信を制限しなくてもよい。
【００６９】
上述の実施形態では、Ｘ線画像の受信の直前のタイミングでＰＡＣＳ１１５との通信制限を行ったが、通信制限のタイミングはこれに限られない。Ｘ線撮影部１０６がＸ線撮影可能状態に遷移したタイミングで通信制限する実施形態を図７で、撮影プロトコルが選択されたタイミングで通信制限する実施形態を図８で、検査を開始したタイミングで通信制限する実施形態を図９で、夫々説明する。
【００７０】
図７のフローチャートに従い、その他の実施形態に係る制御の流れを説明する。なお、ステップＳ１０１乃至１０６、Ｓ１０７１、Ｓ１０７２、Ｓ１０９、Ｓ１１０、並びにＳ１１２乃至Ｓ１１５については図６に示すフローチャートと同様の処理が行われるステップであり、説明は省略する。
【００７１】
ステップＳ１０４で撮影プロトコルが選択され、ステップＳ１０５でＸ線撮影部１０６は撮影可能状態に遷移する。その後Ｘ線撮影部１０６は撮影可能状態への遷移が完了したことに応じて撮影制御部１０７に対して撮影可能状態に遷移したことを示す情報を送信する。ステップＳ７０１で制御部１１１は、当該情報を撮像装置通信部３０５が受信することに応じて、制御部１１１は医用情報通信部３０２によるＰＡＣＳ１１５との通信を制限する。
【００７２】
その後、撮影が行われ、Ｘ線画像の受信後、Ｘ線撮影部１０６が撮影不可状態へと遷移する。その後Ｘ線撮影部１０６は撮影不可状態への遷移が完了したことに応じて撮影制御部１０７に対し撮影不可状態に遷移したことを示す情報を送信する。ステップＳ７０２で制御部１１１は、当該情報を撮像装置通信部３０５が受信することに応じて、制御部１１１は医用情報通信部３０２によるＰＡＣＳ１１５との通信の制限を解除する。
【００７３】
なお、ステップＳ１０６で撮影プロトコルの選択解除が指示され（Ｓ１０６でＹｅｓ）、ステップＳ１１４でＸ線撮影部１０６が撮影不可状態に遷移した場合についても同様である。すなわちステップＳ７０３で制御部１１１は、当該撮影不可状態に遷移したことを示す信号を撮像装置通信部３０５が受信することに応じて、制御部１１１は医用情報通信部３０２によるＰＡＣＳ１１５との通信の制限を解除する。
【００７４】
その他、全ての撮影が終了し、検査が終了した後（ステップＳ１０３でＹｅｓ）、ステップＳ７０４で医用情報通信部３０２は、制御部１１１の制御に応じて、ＰＡＣＳ１１５に対して当該検査で得られるＸ線画像を送信する。
【００７５】
なおここで、１単位の撮影後にＸ線撮影部１０６が撮影不可状態に遷移（Ｓ１１２）するため、当該遷移後に図６のＳ６０１及びＳ６０２の直後転送を行うようにしてもよい。なお、撮影のスループットを優先し、すぐに次の撮影に移る場合には当該直後転送の機能をオフにすることとしてもよい。直後転送の機能のオンオフは、ユーザの操作入力に応じて変更可能な設定情報として記憶部１１０に記憶しておく。直後転送の機能がオフの場合には、ステップＳ６０１での判定は常にＮｏとなり、直後転送は行われない。
【００７６】
上述の通り、本実施形態では、制御部１１１は、ステップＳ１０４で撮影に用いる撮影条件（撮影プロトコル）が選択されること、ステップＳ１０５でＸ線撮影部１０６において撮影の準備が完了すること（撮影可能状態に遷移すること）に応じて、ステップ１０８でＰＡＣＳ１１５に対する記憶部１１０に記憶される画像の送信を制限する。なお、別の実施形態では、Ｘ線撮影部１０６を常時撮影可能状態としておき、撮影プロトコルの選択に応じてＰＡＣＳ１１５に対する画像の送信を制限することとしてもよい。あるいは、撮影プロトコルの選択とはまた別にＸ線撮影部１０６を撮影可能状態へと遷移させるための操作入力を受け付けるボタンを設け、当該ボタンが押下されることに応じて制御部１１１はＰＡＣＳ１１５に対する画像の送信を制限することとしてもよい。
【００７７】
以上のように、Ｘ線撮影部１０６が撮影可能状態あるいは撮影中状態の間は、医用情報通信部３０２が外部医用情報管理サーバー３０との通信を制限することで、画像受信におけるスループットを低下させることなく放射線撮影を行うことが可能となる。
【００７８】
図８のフローチャートに従い、その他の実施形態に係る制御の流れを説明する。なお、ステップＳ１０１乃至１０６、Ｓ１０７１、Ｓ１０７２、Ｓ１０９、Ｓ１１０、並びにＳ１１２乃至Ｓ１１５については図６に示すフローチャートと同様の処理が行われるステップであり、説明は省略する。
【００７９】
Ｘ線撮影に使用する撮影プロトコルが選択されたことに応じてステップＳ８０１で医用情報通信部３０２はＰＡＣＳ１１５との通信を制限する。そして、選択された撮影プロトコルに基づき、ステップＳ１０５で制御部１１１は撮像装置通信部１０５に信号を出力させることによりＸ線撮影部１０６を撮影可能状態へと遷移させる。
【００８０】
その後Ｓ１０４で選択された撮影プロトコルに対しての撮影が完了したため、ステップＳ１１３ではプロトコル選択部３０４は撮影プロトコルの選択状態を解除する。これに応じて、ステップＳ８０２で制御部１１１は医用情報通信部３０２とＰＡＣＳ１１５との通信制限を解除する。以上の処理を行い、ステップＳ１０３へと戻る。
【００８１】
なお、ステップＳ１０６で撮影プロトコルの選択解除が指示され（Ｓ１０６でＹｅｓ）、ステップＳ１１５でプロトコル選択部３０４により撮影プロトコルの選択が解除された場合についても同様である。すなわちステップＳ８０３で制御部１１１は、プロトコルの選択が解除されたことに応じて、制御部１１１は医用情報通信部３０２によるＰＡＣＳ１１５との通信の制限を解除する。
【００８２】
その他、ステップＳ８０４で医用情報通信部３０２は当該撮影により得られたＸ線画像をＰＡＣＳ１１５に送信する。
【００８３】
検査終了後（ステップＳ１０３でＹｅｓ）、図６にかかる実施形態と同様に、画像の転送が行われる（Ｓ６０３及びＳ６０４）。画像の転送が終了後、ステップＳ８０５で医用情報通信部３０２はＲＩＳ１１４実施情報を送信する。すなわち、検査が終了したことを示す通知と、当該検査で被検者に照射された線量を含む情報とを実施情報として、制御部１１１の制御に応じてＲＩＳ１１４に送信されることとなる。
【００８４】
以上のように、使用する撮影プロトコルが選択されている間は、医用情報通信部３０２が外部医用情報管理サーバー３０との通信を制限することで、画像受信におけるスループットを低下させることなく放射線撮影を行うことが可能となる。
【００８５】
上述の通り、本実施形態では、制御部１１１は、ステップＳ１１２でＸ線撮影部１０６が撮影不可状態に遷移すること、ステップＳ１１３で撮影に用いる撮影条件（撮影プロトコル）の選択状態が解除されること、に応じて、ステップ８０２でＰＡＣＳ１１５に対する記憶部１１０に記憶される画像の送信制限が解除される。なお、別の実施形態では、Ｘ線撮影部１０６を常時撮影可能状態としておき、撮影プロトコルの選択解除に応じてＰＡＣＳ１１５に対する画像の送信を制限することとしてもよい。あるいは、撮影プロトコルの選択解除とはまた別にＸ線撮影部１０６を撮影不可状態へと遷移させるための操作入力を受け付けるボタンを設け、当該ボタンが押下されることに応じて制御部１１１はＰＡＣＳ１１５に対する画像の送信制限を解除することとしてもよい。
【００８６】
図９のフローチャートに従い、その他の実施形態に係る制御の流れを説明する。
【００８７】
なお、ステップＳ１０１乃至１０６、Ｓ１０７１、Ｓ１０７２、Ｓ１０９、Ｓ１１０、並びにＳ１１２乃至Ｓ１１５については図６に示すフローチャートと同様の処理が行われるステップであり、説明は省略する。
【００８８】
ステップＳ１０２により検査開始されたことに応じて、ステップＳ９０１で制御部１１１は医用情報通信部３０２とＰＡＣＳ１１５との通信を制限する。これにより、検査中は画像のＰＡＣＳ１１５への転送が原則禁止されるため、直後転送の機能は実行不可となる。
【００８９】
ステップＳ９０２では、検査終了された（Ｓ１０３でＹｅｓ）ことを受け、医用情報通信部３０２とＰＡＣＳ１１５と通信制限を解除する。
【００９０】
なおＲＩＳ１１４に対する検査開始通知の通信は制限されない。実施形態の１つでは制御部１１１は医用情報通信部３０２に当該検査が開始されたことを示す情報（検査開始通知）をＲＩＳ１１４に対し送信する。
【００９１】
また別の実施形態では、１単位の撮影が終了した後、例えば、撮影プロトコルの選択が解除された（Ｓ１１３）のタイミングで、制御部１１１はＲＩＳ１１４からの検査情報（撮影オーダ）のプッシュ送信通知があるか否かを判定する（Ｓ９０３）。かかる判定は、医用情報通信部３０２がプッシュ送信通知をＲＩＳ１１４から受信したか否かで行われる。
【００９２】
ステップＳ９０４で、制御部１１１は、プッシュ送信通知があった場合（Ｓ９０３でＹｅｓ）医用情報通信部３０２により検査情報（撮影オーダ）を受信する。プッシュ送信通知が受信されていない場合には、ステップＳ１０３に進む。
【００９３】
以上のように、検査を行っている間は、医用情報通信部３０２が外部医用情報管理サーバー３０との通信を制限することで、画像受信におけるスループットを低下させることなく放射線撮影を行うことが可能となる。
【００９４】
通信制限の開始や終了を決定する方法は、上述の方法に限られない。例えば通信制限の開始、終了を行うタイミングを、ユーザが複数の候補から選択し、当該選択された情報を設定情報として決定することとしてもよい。例えば、通信制限開始のタイミングは、（１−１）撮影に用いる撮影条件（撮影プロトコル）の選択、（１−２）Ｘ線撮影部１０６における撮影の準備の完了、（１−３）Ｘ線撮影部１０６の蓄積状態への遷移、（１−４）Ｘ線発生部１０２によるＸ線発生、（１−５）Ｘ線撮影部１０６によるＸ線の検出終了、等の種々のタイミングがありうる。また、通信制限終了のタイミングは、（２−１）画像受信の完了、（２−２）撮影に用いる撮影条件（撮影プロトコル）の選択状態の解除、（２−３）Ｘ線撮影部１０６の撮影不可状態への遷移、等の種々のタイミングがある。これらタイミングに関する設定情報の候補から、例えばユーザによる操作入力に応じて制御部１１１が選択し、当該選択された情報を設定情報とし、当該設定情報に対応するイベントが生じたか否かを制御部１１１が判定する。制御部１１１は、設定情報に対応するイベントが生じた場合に通信制限を開始し、また終了する決定を行う。なお、開始と終了のいずれか一方は固定のイベントが生じたタイミングとし、設定情報に基づきタイミングを決定するのは回しか終了のいずれかとすることができる。
【００９５】
上述の実施形態では、通信制限がされている場合にはＰＡＣＳ１１５への画像送信は禁止されていたが、本発明の実施形態はこれに限らない。例えば、検査中に通信制限が行われ直後転送の機能が動作しない場合（図９の実施形態）においても、制御部１１１が優先度の高い画像については、直後転送を許可することとし、迅速な診断を実現させることができる。例えば、制御部１１１は、Ｘ線撮影部１０６により得られる画像に、第一の識別情報が関連付けられているか否かに応じて、前記画像記憶装置に対する該第一の識別情報が関連付けられた画像の送信許否を制御する。実施形態の１つでは、第一の識別情報を、優先的に送信すべき画像であることを示す優先フラグ情報とし、当該フラグ情報を撮影プロトコル情報に含めることができるようにする。当該フラグ情報が付された撮影プロトコルに対応するＸ線画像については、通信制限中であっても医用情報通信部３０２がＰＡＣＳ１１５に送信することを制御部１１１が制限しない。そして、当該フラグ情報が付されていない撮影プロトコルに対応するＸ線画像についてのみ、通信制限中のＰＡＣＳ１１５への転送を制限する。また別の実施形態では、第一の識別情報を、通信制限期間中はＰＡＣＳ１１５に送信しないことを示す非優先フラグ情報とする。当該フラグ情報が付された撮影プロトコルに対応するＸ線画像については、通信制限中のＰＡＣＳ１１５への転送を制限する。そして、当該フラグ情報が付されていない撮影プロトコルに対応するＸ線画像は、通信制限中であっても医用情報通信部３０２がＰＡＣＳ１１５に送信することを制御部１１１が制限しないこととする。また、第一の識別情報を、優先的に送信すべき画像である（１）か否（０）かを示すＢｏｏｌｅａｎ型の変数を取るフラグ情報として、優先すべき場合（変数値が１の場合）は通信制限中に転送することとしてもよい。
【００９６】
なおここで、優先すべきフラグ情報がＸ線画像に関連付けられている場合であっても、Ｘ線撮影部１０６が撮影制御装置１０７にＸ線画像を送信している期間は当該通信を優先させ、かかる期間以外の通信制限された期間に優先すべきフラグ情報が付されたＸ線画像のＰＡＣＳ１１５への転送を許可することとしてもよい。かかる制御は制御部１１１の制御に応じて行われる。
【００９７】
また別の実施形態では、検査終了後に複数の画像を順次ＰＡＣＳ１１５に送信する場合に、優先順位の高いＸ線画像から順にＰＡＣＳ１１５に送信することとする。例えば制御部１１１は、Ｘ線撮影部１０６で得られる複数の画像が記憶部１１０に記憶されている場合に、前記複数の画像のそれぞれに第二の識別情報が関連付けられているか否かに基づいて前記複数の画像を送信する順序を制御する。第二の識別情報は、優先的に送信すべき画像であることを示す優先フラグ情報であっても、送信が優先されないことを示す非優先フラグ情報であっても、優先的に送信すべき画像である（１）か否（０）かを示すＢｏｏｌｅａｎ型の変数を取るフラグ情報であってもよい。制御部１１１は、例えば複数の撮影プロトコルのそれぞれに含まれる当該第二の識別情報を参照して、当該識別情報に対応する関連付けられたＸ線画像のそれぞれが優先的に送信されるべき画像か否かを判定し、判定の結果に応じて画像の送信順序を決定する。当該決定された順序に応じて、優先される画像を先に、優先されない画像をその後に送信する。
【００９８】
また別の実施形態では、医用情報通信部３０２とＰＡＣＳ１１５との通信が制限されている間に、制限に係る医用情報の追加送信を要求された場合、一時的に撮影を停止し、医用情報の転送を優先させて先に行ってもよい。例えば制御部１１１は、ＰＡＣＳ１１５に対する記憶部１１０に記憶される画像を送信する期間は、Ｘ線撮影部１０６からの画像の受信を制限する。
【００９９】
図１０のフローチャートに従い、かかる実施形態における制御の流れを説明する。
【０１００】
まずステップ１００１で制御部１１１が医用情報通信部３０２とＰＡＣＳ１１５との通信を制限する。
【０１０１】
ステップＳ１００２で制御部１１１は医用情報通信部３０２の通信制限が解除されたか否かを判定する。通信制限が解除されていれば処理は終了する。解除されていなければステップＳ１００３に進む。
【０１０２】
ステップＳ１００３で制御部１１１は医用情報通信部３０２に追加転送の要求があるかどうかを判定する。通信制限が解除されていない、かつ追加転送の要求があればステップＳ１００４へと遷移する。
【０１０３】
ステップＳ１００４以下では、追加転送の要求に対して転送処理を行うため、放射線撮像部２０の状態を判定する。ステップＳ１００４で制御部１１１は、Ｘ線撮影部１０６が撮影中状態であれば撮影中状態でなくなるまで待機する。制御部１１１により撮影中状態でなくなったと判定された場合、ステップＳ１００５へ遷移する。
【０１０４】
ステップＳ１００５で制御部１１１は、Ｘ線撮影部１０６が撮影可能状態か否かを判定する。撮影可能状態でないと判定された場合（ステップＳ１００５でＹｅｓ）、ステップＳ１００６で医用情報通信部３０２はＰＡＣＳ１１５へＸ線画像等の医用情報を転送し、ステップＳ１００２へ戻る。撮影可能状態であれば（ステップＳ１００５でＮｏ）、ステップＳ１００７で制御部１１１は撮像情報通信部１０５に信号を送信させ、Ｘ線撮影部１０６を撮影不可状態へ遷移させる。
【０１０５】
ステップＳ１００８で医用情報通信部３０２はＰＡＣＳ１１５へＸ線画像等の医用情報を転送する。転送が終わったら、ステップＳ１００９で制御部１１１は撮像情報通信部１０５の指示により放射線撮像部２０を撮影可能状態へ遷移させ、ステップＳ１００２へ戻る。
【０１０６】
以上のように、放射線撮影と重ならないように、先に医用情報を転送することによって、放射線撮影におけるスループットは低下しないよう制御することが可能である。
【０１０７】
図１１を用いて、検査情報の入力および検査の開始に用いられるＧＵＩである検査情報入力画面１１０１の例を示す。検査情報入力画面１１０１は、検査を実施対象となる患者の情報を入力する画面である。検査情報入力画面１１０１は、患者情報入力領域１１０２、患者情報リスト１１０３、患者情報確定ボタン１１０４、患者情報表示領域１１０５、検査情報表示領域１１０６、検査開始ボタン１１０７より構成される。患者情報入力領域１１０２は、患者情報に含まれる各項目の値の入力や選択を行う領域である。患者情報リスト１１０３には、過去に実施された検査の患者情報がリスト表示される。患者情報リスト１１０３のカラムには、１カラムに対して患者情報に含まれる項目が１つ表示される。リスト部分には、１行に１名の患者情報が表示される。リスト上の任意の患者情報を選択すると、選択した患者情報が患者情報入力領域１１０２の各入力部に入力される。患者情報確定ボタン１１０４は、患者情報入力領域１１０２に入力されている値を患者情報として確定させるためのボタンまたはアイコンである。ボタンが押下されると、必須入力項目に値が入力されているか、また入力項目に規格に反していない正しい値が入力されているか確認し、問題がなければ患者情報として確定する。患者情報表示領域１１０５は、確定された患者情報を表示する領域である。患者情報が確定されるまでは各項目に値が表示されておらず、患者情報が確定した時点で表示される。検査情報表示領域１１０６には、入力された検査情報が表示される領域である。ここで示す検査情報には、検査ＩＤ、照会医師名、読影医師名、検査記述、施設名など検査を特定するための情報が含まれる。また、撮影予定として選択された撮影手技も含まれる。検査情報表示領域１１０６には、検査情報の各項目を表示する領域と検査情報に含まれる撮影プロトコルＩＤに対応する撮影プロトコルの情報を領域が存在する。検査情報が入力されるまでは、領域に情報が表示されない。また複数検査を一度に開始状態とすることも可能である。その際は、検査情報表示領域１１０６が検査数の分だけ並べて表示される。
【０１０８】
検査開始ボタン１１０７は、被検体に対して少なくとも１つの撮影を含む検査の開始を指示する操作入力を受け付けるボタンまたはアイコンである。ボタンが押下されると、制御部１１１は患者情報、検査情報が入力されているかを判定し、問題がなければ検査を開始状態とする。これに応じて表示制御部３０６は当該被検体についての撮影を実行するための撮影画面１２０１を表示部に表示させる。
【０１０９】
例えば図９に示す実施形態において、かかる検査開始ボタン１１０７を押下する（第一の）操作入力や、撮影画面１２０１の表示開始の少なくともいずれかに応じて、制御部１１１はＰＡＣＳ１１５に対する画像の送信を制限することとなる。
【０１１０】
図１２を用いて、表示制御部３０６により表示される、被検体についての少なくとも１つの撮影を実行するための撮影画面の例を説明する。撮影画面１２０１は、画像表示領域１２０２、ステータス表示領域１２０３、シングルビューボタン１２０４、マルチビューボタン１２０５、フレームビューボタン１２０６、患者情報表示領域１２０７、検査情報表示領域１２０８、撮影手技表示領域１２０９、撮影手技実施順序繰り上げボタン１２１０、撮影手技実施順序繰り下げボタン１２１１、検査編集ボタン１２１２、画像処理ボタン１２１３、計測ボタン１２１４、アノテーション編集ボタン１２１５、検査保留ボタン１２１６、画像出力ボタン１２１７、検査終了ボタン１２１８、表示アノテーション表示切り替えボタン１２１９、右回転ボタン１２２０、左回転ボタン１２２１、左右反転ボタン１２２２、上下反転ボタン１２２３、白黒反転ボタン１２２４、Ｌマーク配置ボタン１２２５、Ｒマーク配置ボタン１２２６、切り出し設定ボタン１２２７、マスク処理ボタン１２２８、再撮影ボタン１２２９、写損ボタン１２３０、Ｕｎｄｏボタン１２３１、リセットボタン１２３２により構成される。画像表示領域１２０２は、撮影したＸ線画像をプレビュー表示する。撮影後にプレビュー選択を切り替えた場合はプレビュー選択されたＸ線画像がプレビュー表示される。また、設定に応じて患者情報、検査情報、照射条件などがアノテーション表示される。なお、検査開始直後の初期状態では、画像は表示されない。ステータス表示領域１２０３は、Ｘ線制御部１０５やＸ線検出器１０４から通知されたステータスを操作者が判別し易いように、色や文字を区別して表示する領域である。通信回路２１２を介してＸ線制御部１０５やＸ線検出器１０４からステータス通知を受信した撮影制御部３０６は検査制御部３０７へステータス変更を通知する。検査制御部３０７は、Ｘ線制御部１０５やＸ線検出器１０４のステータスの組み合わせによって、表示内容を判定し、入出力制御部３０８へステータス表示切り替え指示を送信する。例えば、Ｘ線制御部１０５がＸ線照射不可あるいはＸ線検出器１０４がＸ線検出不可な能場合は、センサステータス上に「Ｎｏｔ  Ｒｅａｄｙ」を表示する。また、Ｘ線制御部１０５がＸ線照射可能及びＸ線検出器１０４がＸ線検出可能である場合は、センサステータス上に「Ｒｅａｄｙ」を表示させ、背景色を「Ｎｏｔ  Ｒｅａｄｙ」表示時と容易に区別可能な色に変更する。シングルビューボタン１２０４は、画像表示領域１２０２にプレビュー選択されている画像の１フレームを表示するシングルビューへ切り替えるボタンまたはアイコンである。複数フレームの画像の場合、プレビュー表示中にキーボードやマウス操作によって別フレームの表示や動画再生も可能である。マルチビューボタン１２０５は、画像表示領域１２０２を格子状の複数表示領域に区切り、実施中の検査内で撮影された画像群を並列表示するマルチビューへ切り替えるボタンまたはアイコンである。実施中の検査内で２つ以上の画像が撮影されるまではボタンは無効となり、マルチビュー不可能となる。フレームビューボタン１２０６は、画像表示領域１２０２を格子状の複数表示領域に区切り、プレビュー選択さ��ている動画のフレーム画像群を並列表示するフレームビューへ切り替えるボタンまたはアイコンである。プレビュー選択されている画像が動画像でない場合はボタンは無効となり、フレームビュー不可能となる。患者情報表示領域１２０７は、患者名、患者ＩＤといった患者情報が表示される領域である。検査情報表示領域１２０８は、検査ＩＤや検査記述といった検査情報が表示されるまた、検査で選択されている撮影手技が撮影手技表示領域１２０９に並べて表示される。撮影手技表示領域１２０９には、撮影手技名称等の撮影手技情報と、実施した全ての撮影画像サムネイル１０１１が表示されている。また、撮影手技表示領域１２０９には、撮影実施前の場合は撮影予定サムネイル、撮影実施後の場合は撮影画像サムネイルも含まれる。撮影手技実施順序繰り上げボタン１２１０は、撮影手技の実施予定順序の繰り上げを指示するボタンまたはアイコンである。撮影手技表示領域１２０９を選択した状態で撮影手技実施順序繰り上げボタン１２１０を押下すると、選択中の撮影手技表示領域１２０９が同一検査内の１つ上の撮影手技表示領域１２０９と入れ替わって繰り上がる。ただし、同一検査内で先頭の撮影手技表示領域１２０９が選択されている場合は繰り上がらない。撮影手技実施順序繰り下げボタン１２１１は、撮影手技の実施予定順序の繰り下げを指示するボタンまたはアイコンである。撮影手技表示領域１２０９を選択した状態で撮影手技実施順序繰り下げボタン１２１１を押下すると、選択中の撮影手技表示領域１２０９が同一検査内の１つ下の撮影手技表示領域１２０９と入れ替わって繰り下がる。ただし、同一検査内で最後尾の撮影手技表示領域１２０９が選択されている場合は繰り下がらない。検査編集ボタン１２１２は、検査編集のために撮影手技選択画面６０１への遷移を指示するボタンまたはアイコンである。画像処理ボタン１２１３は、画像処理操作部の表示・非表示の切り替えを指示するボタンまたはアイコンである。計測ボタン１２１４は、計測操作部の表示・非表示の切り替えを指示するボタンまたはアイコンである。アノテーション編集ボタン１２１５は、アノテーション操作部８０１の表示・非表示の切り替えを指示するボタンまたはアイコンである。検査保留ボタン１２１６は、実施中の検査の保留を指示するボタンまたはアイコンである。画像出力ボタン１２１７は、実施中の検査に含まれる撮影画像の画像出力を指示するボタンまたはアイコンである。検査終了ボタン１２１８は、少なくとも１つの撮影を含む検査を終了する（第二の）操作入力を受け付けるボタンまたはアイコンである。アノテーション表示切り替えボタン１２１９は、画像表示領域１２０２上に表示アノテーションの表示、非表示を切り替えるボタンまたはアイコンである。右回転ボタン１２２０は、プレビュー表示中の撮影画像を右回転させるボタンまたはアイコンである。左回転ボタン１２２１は、プレビュー表示中の撮影画像を左回転させるボタンまたはアイコンである。左右反転ボタン１２２２は、プレビュー表示中の撮影画像を左右反転させるボタンまたはアイコンである。上下反転ボタン１２２３は、プレビュー表示中の撮影画像を上下反転させるボタンまたはアイコンである。白黒反転��タン１２２４は、プレビュー表示中の撮影画像のＷｉｎｄｏｗ値を反転させるボタンまたはアイコンである。Ｌマーク配置ボタン１２２５は、プレビュー表示中の撮影画像上に側性マーカー「Ｌ」を配置させるボタンまたはアイコンである。ボタンはＯＮ／ＯＦＦ切り替え可能であり、ＯＮで「Ｌ」を配置し、ＯＦＦで「Ｌ」を削除する。Ｒマーク配置ボタン１２２６は、プレビュー表示中の撮影画像上に側性マーカー「Ｒ」を配置させるボタンまたはアイコンである。ボタンはＯＮ／ＯＦＦ切り替え可能であり、ＯＮで「Ｒ」を配置し、ＯＦＦで「Ｒ」を削除する。切り出し設定ボタン１２２７は、プレビュー表示中の撮影画像に対する関心領域の切り出し設定を指示するボタンまたはアイコンである。マスク処理ボタン１２２８は、プレビュー表示中の撮影画像に対するマスク処理を指示するボタンまたはアイコンである。再撮影ボタン１２２９は、プレビュー選択中の画像を含む撮影手技に対して再撮影を指示するボタンまたはアイコンである。ここで示す再撮影とは、再撮影を指示された画像に対して写損処理を実施し、同一撮影手技を新規で追加する処理を指す。写損ボタン１２３０は、プレビュー選択中の画像に対して写損を指示するボタンまたはアイコンである。写損処理が実施されると、画像情報に含まれる写損設定がＯＮに切り替えられる。Ｕｎｄｏボタン１２３１は、プレビュー選択中の画像に対する処理の履歴を新しい順に戻すＵｎｄｏ処理を指示するボタンまたはアイコンである。リセットボタン１２３２は、プレビュー選択中の画像に対する処理を全て破棄し、撮影直後の状態に戻すリセット処理を指示するボタンまたはアイコンである。以上の構成となる撮影画面１２０１が表示される。
【０１１１】
ここで制御部１１１は、例えば図９に示す実施形態において、検査終了ボタン１２１８に対する操作入力や、撮影画面１２０１の表示の終了の少なくともいずれかに応じてＰＡＣＳ１１５に対する画像の送信の制限を解除することとなる。
【０１１２】
図１３に基づいて、本発明の実施形態に係るその他のハードウェア構成例を示す。図１、図２に示す符番と同様の符番を付した構成は、説明を省略する。実施形態に係る院内システムは、Ｘ線撮影部１０６と、撮影制御部１０７と、ネットワーク１１３と撮影制御部１０７とを接続する院内ＡＰ１１８と、ＰＡＣＳ１１５とを有する。
【０１１３】
撮影制御装置１０７は、ＣＰＵ２５１と、ＲＡＭ２５３と、記憶部１１０と、通信回路１１２とを有する。記憶部１１０には上述の実施形態に係る動作を実現するためのプログラム１３０１と、通信回路１１２をアクセスポイントとして動作させるためのプログラムであるソフトウェアＡＰプログラム１３０２とが記憶される。当該プログラム１３０１及び１３０２はＲＡＭ２５３に展開され、ＣＰＵ２５１により実行される。
【０１１４】
通信回路１１２は単一の無線通信モジュールを有し、当該単一の無線通信モジュールで単一の通信チャネルを利用してＸ線撮影部１０６及びＰＡＣＳ１１５の両方と通信する。この場合、院内ＡＰ１１８は親機（アクセスポイント）として動作するので、院内ＡＰ１１８と通信する通信回路１１２は子機（ステーション）として動作する。また、Ｘ線撮影部１０６の無線通信回路が子機（ステーション）として動作するので、通信回路１１２はソフトウェアＡＰプログラムを利用して親機（アクセスポイント）として動作する。このようにすることで、単一の無線通信モジュールによりＸ線撮影部１０６及び院内のネットワーク１１３の両方と通信することができる。
【０１１５】
以下、その他の実施形態を説明する。
【０１１６】
上述の実施形態ではＸ線撮影を行う撮影装置について説明したが、これに限らず、例えばケーブルレスで動作する超音波プローブを有する超音波撮影装置等、Ｘ線撮影装置以外の医用撮影装置も本発明の実施形態に含まれる。この場合、超音波撮影装置において撮影部である超音波プローブと無線で通信する制御装置が、本発明の実施形態に係る撮影制御装置となる。
【０１１７】
上述の実施形態のほとんどは撮影制御装置１０７による医用画像の転送先はＰＡＣＳ１１５として説明したが、これに限らず、撮影制御装置１０７と無線で通信するワークステーション等の画像記憶装置であってもよい。
【０１１８】
上述の実施形態において、撮影部と制御装置は子機―親機の通信（ステーション−ＡＰの通信）をしてもよいし、Ａｄ  Ｈｏｃ通信を行うこととしてもよい。
【０１１９】
実施形態の１つに係るＸ線撮影システムでは、Ｘ線撮影部１０６が制御装置１０６を介さずに直接院内ＡＰ１１８に接続し、ＰＡＣＳ１１５に画像を転送する。この場合、Ｘ線撮影部１０６は撮影制御装置１０７に対し撮影により得られる画像の縮小画像を転送する。この際に、Ｘ線撮影部１０６の制御部は、撮影制御装置１０７に対する縮小画像の転送期間中は、ＰＡＣＳ１１５に対するＸ線画像の送信を制限することにより、撮影により得ら得る画像の迅速な確認を妨げないようにし、撮影の効率を向上させることができる。
【０１２０】
上述の実施形態における撮影制御装置１０７は単体の装置であったが、別の実施形態では複数の情報処理装置を含む制御システムにより、当該撮影制御装置１０７の機能が実現される。この場合、複数の情報処理装置はそれぞれ通信回路を有しており、当該通信回路により互いに通信可能である。複数の情報処理装置のうち１つは画像処理部３０７として機能し、また別の装置は制御部１１１として機能させることができる。これら複数の情報処理装置は所定の通信レートで通信可能であればよく、同一の病院施設内あるいは同一の国に存在することを要しない。またかかる制御システムでは、例えば画像処理部３０７を複数の制御システムで共通のサーバ装置或いはサーバ群とすることも可能である。
【０１２１】
また、本発明の実施形態には、前述した実施形態の機能を実現するソフトウェアのプログラムを、システムあるいは装置に直接あるいは遠隔から供給し、そのシステムあるいは装置のコンピュータが該供給されたプログラムコードを読み出して実行する、という形態を含む。
【０１２２】
従って、本発明の機能処理をコンピュータで実現するために、該コンピュータにインストールされるプログラムコード自体も本発明の実施形態の１つである。また、コンピュータが、読み出したプログラムに含まれる指令に基づき、コンピュータ上で稼動しているＯＳなどが、実際の処理の一部または全部を行い、その処理によっても前述した実施形態の機能が実現され得る。
【０１２３】
上述の実施形態を適宜組み合わせた形態も、本発明の実施形態に含まれる。
【図１】
0006489819.tif 000002
【図２】
0006489819.tif 000003
【図３】
0006489819.tif 000004
【図４】
0006489819.tif 000005
【図５】
0006489819.tif 000006
【図６】
0006489819.tif 000007
【図７】
0006489819.tif 000008
【図８】
0006489819.tif 000009
【図９】
0006489819.tif 000010
【図１０】
0006489819.tif 000011
【図１１】
0006489819.tif 000012
【図１２】
0006489819.tif 000013
【図１３】
0006489819.tif 000014